【事件の表示】
　特願２０１７−５２４３９４「ＰＵＣＣＨ上でのエレベーションＰＭＩ報告」拒絶査定不服審判事件〔平成２８年　５月１９日国際公開、ＷＯ２０１６／０７４５４２、平成２９年１２月１４日国内公表、特表２０１７−５３７５４１〕について、次のとおり審決する。
【結　論】
　本件審判の請求は、成り立たない。
【理　由】
第１　手続の経緯
　本願は、２０１５年（平成２７年）９月３０日（パリ条約による優先権主張外国庁受理　２０１４年１１月１０日　中華人民共和国）を国際出願日とする出願であって、その手続の経緯は以下のとおりである。
平成２９年　７月１１日　　　　：手続補正書の提出
平成３０年　９月　５日　　　　：手続補正書の提出
平成３１年　４月２３日付け　　：拒絶理由通知書
令和　１年　８月　７日　　　　：意見書の提出
令和　１年　９月　６日付け　　：拒絶査定
令和　２年　１月１７日　　　　：拒絶査定不服審判の請求、手続補正書の提出
第２　本願発明
　本願の請求項１−１５に係る発明は、令和２年１月１７日に提出された手続補正書により補正された特許請求の範囲の請求項１−１５に記載された事項により特定されるとおりのものと認められるところ、請求項１に係る発明（以下、「本願発明」という。）は次のとおりである。
「　【請求項１】
　ユーザ機器（ＵＥ）におけるワイヤレス通信の方法であって、
　基地局から基準信号（ＲＳ）を受信することと、
　前記ＲＳに基づいて、前記基地局の第１のプリコーディング構成を示す第１のチャネル状態情報（ＣＳＩ）インジケータを決定すること、前記第１のプリコーディング構成は、信号電力を改善することまたはエレベーション次元における干渉を低減することのうちの少なくとも１つを行うように最適化され、前記第１のＣＳＩインジケータは、少なくともエレベーションプリコーディング行列インジケータ（Ｅ−ＰＭＩ）を含む、と、
　前記ＲＳに基づいて、前記基地局の第２のプリコーディング構成を示す第２のＣＳＩインジケータを決定すること、前記第２のプリコーディング構成は、前記信号電力を改善することまたはアジマス次元における干渉を低減することのうちの少なくとも１つを行うように最適化され、前記第２のＣＳＩインジケータは、少なくともアジマスプリコーディング行列インジケータ（Ａ−ＰＭＩ）を含む、と、
　前記基地局に、少なくとも前記第１のＣＳＩインジケータおよび前記第２のＣＳＩインジケータを含む第１のＣＳＩ報告を送信することと
　を備える、方法。」
　
　なお、令和２年１月１７日付け手続補正による特許請求の範囲の補正は、請求項１５について、「・・・コンピュータ実行可能コードを記憶するコンピュータ可読媒体。」とあったものを、「・・・コンピュータ実行可能コードを記憶する
、
第３　原査定の拒絶の理由
　原査定の拒絶の理由は、「１．（新規性）この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。」、「２．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。」というものであり、請求項１に対して下記引用文献１が引用されている
引用文献１．国際公開第２０１４／１４２５１４号
第４　引用文献の記載及び引用発明
１　引用発明等
　原査定の拒絶の理由に引用された国際公開第２０１４／１４２５１４号（以下、「引用例」という。）には、以下の事項が記載されている。
（ア）「
」
（当審訳：
　［１］以下の説明は、
無線通信システムに関し、特に、チャネル状態情報を報告する方法
（イ）「
（中略）
」
（当審訳：
　［１０８］
移動通信システムにおいて参照信号（ＲＳ）はその目的によって２種類に大別できる。
基地局が下りデータを送る時、当該リソースで併せて送るＲＳであり、端末は当該ＲＳを受信することによってチャネル推定ができ、データを復調することができる。
（中略）
　［１１５］
ＬＴＥ−Ａシステム
送信ランク、変調及びコーディング技法（Ｍｏｄｕｌａｔｉｏｎ　ａｎｄ　Ｃｏｄｉｎｇ　Ｓｃｈｅｍｅ；ＭＣＳ）、プリコーディング行列インデックス（Ｐｒｅｃｏｄｉｎｇ　Ｍａｔｒｉｘ　Ｉｎｄｅｘ；ＰＭＩ）などの選択のためのチャネル測定目的のＲＳであるチャネル状態情報−参照信号（Ｃｈａｎｎｅｌ　Ｓｔａｔｅ　Ｉｎｆｏｒｍａｔｉｏｎ　ＲＳ；ＣＳＩ−ＲＳ）であり、
）
（ウ）「
」
（当審訳：
　［１６２］
端末は、ＣＲＳ及び／又はＣＳＩ−ＲＳを用いて下りリンクチャネルに対する推定及び／又は測定を行うことができる。端末によって基地局にフィードバックされるチャネル情報（ＣＳＩ）は、ランク指示子（ＲＩ）、プリコーディング行列インデックス（ＰＭＩ）及びチャネル品質指示子（ＣＱＩ）を含むことができる。
（エ）「
」
（当審訳：
　［４７８］発展した３ＧＰＰ　
ＬＴＥシステム
既存のシステムと区別される点は、ＵＥが自身に最適の（又は、好む）垂直ドメインビーム方向を選択して基地局に報告するということである。
垂直ビームフォーミングと水平ビームフォーミングのためのＰＭＩを報告する際にさらに考慮すべきＵＥ動作について提案する。
　［４７９］本発明では、
ＰＵＣＣＨを用いたＣＳＩ報告の場合、垂直ビームフォーミングのためのＰＭＩ（Ｖ−ＰＭＩ）が報告されるか否かを示す特定指示子（又は、フラグ指示子）を定義する。この特定指示子を、Ｖ−ＰＭＩ報告タイプ指示子（Ｒｅｐｏｒｔｉｎｇ　Ｔｙｐｅ　Ｉｎｄｉｃａｔｏｒ；ＲＴＩ）と呼ぶ。Ｖ−ＰＭＩ　ＲＴＩは、ＵＥがＰＵＣＣＨを介して送信するＣＳＩに含まれてもよい。
　［４８０］仮に、
Ｖ−ＰＭＩ　ＲＴＩが第１値（又は、Ｏｎを示す値）に設定されると、Ｖ−ＰＭＩ　ＲＴＩの報告後にＶ−ＰＭＩを報告することができる。この場合、Ｖ−ＰＭＩの報告後に、Ｈ−ＰＭＩを報告することができる。又は、Ｖ−ＰＭＩ及びＨ−ＰＭＩを同じ時点で報告することもできる。
　上記（ア）〜（エ）の記載及び当業者の技術常識を考慮すると、次のことがいえる。
ａ　上記「（イ）段落［１０８］、［１１５］」には、「移動通信システムにおいて参照信号（ＲＳ）はその目的によって２種類に大別できる。・・・基地局が下りデータを送る時、当該リソースで併せて送るＲＳであり、端末は当該ＲＳを受信することによってチャネル推定ができ、データを復調することができる。」との記載、及び「送信ランク、変調及びコーディング技法（Ｍｏｄｕｌａｔｉｏｎ　ａｎｄ　Ｃｏｄｉｎｇ　Ｓｃｈｅｍｅ；ＭＣＳ）、プリコーディング行列インデックス（Ｐｒｅｃｏｄｉｎｇ　Ｍａｔｒｉｘ　Ｉｎｄｅｘ；ＰＭＩ）などの選択のためのチャネル測定目的のＲＳであるチャネル状態情報−参照信号（Ｃｈａｎｎｅｌ　Ｓｔａｔｅ　Ｉｎｆｏｒｍａｔｉｏｎ　ＲＳ；ＣＳＩ−ＲＳ）であり、」との記載がある。
　そうすると、引用例には、「基地局が下りデータを送る時、参照信号（ＲＳ）は送られ、端末は参照信号（ＲＳ）を受信する」こと、「チャネル状態情報−参照信号（Ｃｈａｎｎｅｌ　Ｓｔａｔｅ　Ｉｎｆｏｒｍａｔｉｏｎ　ＲＳ；ＣＳＩ−ＲＳ）は、プリコーディング行列インデックス（Ｐｒｅｃｏｄｉｎｇ　Ｍａｔｒｉｘ　Ｉｎｄｅｘ；ＰＭＩ）の選択のためのチャネル測定目的のＲＳである」ことが記載されているといえる。
ｂ　上記「（ウ）段落［１６２］」には、「端末は、ＣＲＳ及び／又はＣＳＩ−ＲＳを用いて下りリンクチャネルに対する推定及び／又は測定を行うことができる。端末によって基地局にフィードバックされるチャネル情報（ＣＳＩ）は、ランク指示子（ＲＩ）、プリコーディング行列インデックス（ＰＭＩ）及びチャネル品質指示子（ＣＱＩ）を含むことができる。」との記載がある。
　そうすると、引用例には「端末はＰＭＩを含むＣＳＩを基地局にフィードバックする」ことが記載されているといえる。
また、上記「（エ）段落［４７８］−［４８０］」には、「既存のシステムと区別される点は、ＵＥが自身に最適の（又は、好む）垂直ドメインビーム方向を選択して基地局に報告するということである。」との記載、「垂直ビームフォーミングと水平ビームフォーミングのためのＰＭＩを報告する際にさらに考慮すべきＵＥ動作について提案する。」との記載、「ＰＵＣＣＨを用いたＣＳＩ報告の場合、垂直ビームフォーミングのためのＰＭＩ（Ｖ−ＰＭＩ）が報告されるか否かを示す特定指示子（又は、フラグ指示子）を定義する。この特定指示子を、Ｖ−ＰＭＩ報告タイプ指示子（Ｒｅｐｏｒｔｉｎｇ　Ｔｙｐｅ　Ｉｎｄｉｃａｔｏｒ；ＲＴＩ）と呼ぶ。Ｖ−ＰＭＩ　ＲＴＩは、ＵＥがＰＵＣＣＨを介して送信するＣＳＩに含まれてもよい。」との記載、「Ｖ−ＰＭＩ　ＲＴＩが第１値（又は、Ｏｎを示す値）に設定されると、Ｖ−ＰＭＩ　ＲＴＩの報告後にＶ−ＰＭＩを報告することができる。この場合、Ｖ−ＰＭＩの報告後に、Ｈ−ＰＭＩを報告することができる。又は、Ｖ−ＰＭＩ及びＨ−ＰＭＩを同じ時点で報告することもできる。」との記載がある。ここで、「垂直ビームフォーミングと水平ビームフォーミングのためのＰＭＩを報告する際にさらに考慮すべきＵＥ動作について提案する。」及び、「垂直ビームフォーミングのためのＰＭＩ（Ｖ−ＰＭＩ）」との記載から、Ｈ−ＰＭＩが「水平ビームフォーミングのためのＰＭＩ」であることは明らかである。また、「ＰＵＣＣＨを用いたＣＳＩ報告の場合、垂直ビームフォーミングのためのＰＭＩ（Ｖ−ＰＭＩ）が報告される」のは基地局であるから、「端末は、ＰＵＣＣＨを用いたＣＳＩ報告の場合、垂直ビームフォーミングのためのＰＭＩを報告する」ものであるといえる。
　そうすると、引用例には「端末（ＵＥ）が自身に最適の（又は、好む）垂直ドメインビーム方向を選択して基地局に報告する」こと、「端末は、ＰＵＣＣＨを用いたＣＳＩ報告の場合、垂直ビームフォーミングのためのＰＭＩ（Ｖ−ＰＭＩ）を報告する」こと、「端末は、Ｖ−ＰＭＩ及びＨ−ＰＭＩ（水平ビームフォーミングのためのＰＭＩ）を同じ時点で報告する」ことが記載されているといえる。
ｃ　上記「（ア）段落［１］」には「無線通信システムに関し、特に、チャネル状態情報を報告する方法及び装置に関する。」との記載がある。
そして、上記「ａ」「ｂ」にも摘記したとおり、「基地局が下りデータを送る時、端末は参照信号（ＲＳ）を受信することによってチャネル推定をする」ものであり、「端末はＰＭＩを含むＣＳＩを基地局にフィードバックする」もの、「端末は、ＰＵＣＣＨを用いたＣＳＩ報告の場合、垂直ビームフォーミングのためのＰＭＩ（Ｖ−ＰＭＩ）が報告される」ものであって、端末は「Ｖ−ＰＭＩ及びＨ−ＰＭＩを同じ時点で報告する」ものであるから、「端末がＣＳＩを報告するものである」といえ、上記「（イ）段落［１１５］」、「（エ）段落［４７８］」によれば、「無線システム」には、「ＬＴＥシステム」が含まれるものであるから、引用発明は、「無線通信システム（ＬＴＥシステム）に関し、端末（ＵＥ）がチャネル状態情報（ＣＳＩ）を報告する方法」が記載されているといえる。
　以上を総合すると、引用例には、以下の発明（以下、「引用発明」という。）が記載されていると認められる。
「　無線通信システム（ＬＴＥシステム）に関し、端末（ＵＥ）がチャネル状態情報（ＣＳＩ）を報告する方法であって、
　基地局が下りデータを送る時、参照信号（ＲＳ）は送られ、端末は参照信号（ＲＳ）を受信することと、
　チャネル状態情報−参照信号（Ｃｈａｎｎｅｌ　Ｓｔａｔｅ　Ｉｎｆｏｒｍａｔｉｏｎ　ＲＳ；ＣＳＩ−ＲＳ）は、プリコーディング行列インデックス（Ｐｒｅｃｏｄｉｎｇ　Ｍａｔｒｉｘ　Ｉｎｄｅｘ；ＰＭＩ）の選択のためのチャネル測定目的のＲＳであり、
　端末はＰＭＩを含むＣＳＩを基地局にフィードバックすることと、
　端末（ＵＥ）が自身に最適の（又は、好む）垂直ドメインビーム方向を選択して基地局に報告することと、
　端末は、ＰＵＣＣＨを用いたＣＳＩ報告の場合、垂直ビームフォーミングのためのＰＭＩ（Ｖ−ＰＭＩ）を報告することと、
　端末は、Ｖ−ＰＭＩ及びＨ−ＰＭＩ（水平ビームフォーミングのためのＰＭＩ）を同じ時点で報告する、
　方法。」
第５　対比・判断
　本願発明と引用発明とを対比すると、以下のことがいえる。
（ア）引用発明の「端末（ＵＥ）」は、本願発明の「ユーザ端末（ＵＥ）」に相当する。そして、引用発明の「端末（ＵＥ）がチャネル状態情報（ＣＳＩ）を報告する方法」は、「無線通信システム（ＬＴＥシステム）」に関するもの、すなわちワイヤレス通信に関するものであるから、「端末（ＵＥ）がチャネル状態情報（ＣＳＩ）を報告する方法」は「端末（ＵＥ）におけるワイヤレス通信の方法」であるといえる。
　そうすると、引用発明の「無線通信システム（ＬＴＥシステム）に関し、端末（ＵＥ）がチャネル状態情報（ＣＳＩ）を報告する方法」は、本願発明と「ユーザ端末（ＵＥ）におけるワイヤレス通信の方法」という点で一致する。
（イ）引用発明の「参照信号（ＲＳ）」は、少なくとも「ＬＴＥシステム」で用いられるものであり、ＬＴＥシステムにおいて、ＲＳはＲｅｆｅｒｅｎｃｅ　ｓｉｇｎａｌの略であるといえるから、基準信号であるともいえる。
　そうすると、引用発明の「参照信号（ＲＳ）」は、本願発明の「基準信号（ＲＳ）」に相当し、引用発明の「基地局が下りデータを送る時、参照信号（ＲＳ）は送られ、端末は参照信号（ＲＳ）を受信する」ことは、本願発明と「基地局から基準信号（ＲＳ）を受信する」という点で一致する。
（ウ）本願発明の「基地局の第１のプリコーディング構成を示す第１のチャネル状態情報（ＣＳＩ）インジケータ」、「基地局の第２のプリコーディング構成を示す第２のチャネル状態情報（ＣＳＩ）インジケータ」は、ともに基準信号（ＲＳ）に基づいて決定されるものである。そして、「第１のチャネル状態情報（ＣＳＩ）インジケータ」は、少なくともエレベーションプリコーディング行列インジケータ（Ｅ−ＰＭＩ）を含むものであり、「第２のチャネル状態情報（ＣＳＩ）インジケータ」は、少なくともアジマスプリコーディング行列インジケータ（Ａ−ＰＭＩ）を含むものであるから、「
「エレベーションプリコーディング行列インジケータ（Ｅ−ＰＭＩ）」及び「アジマスプリコーディング行列インジケータ（Ａ−ＰＭＩ）」は、それぞれ基準信号（ＲＳ）に基づいて決定される
　一方、引用発明の「Ｖ−ＰＭＩ（垂直ビームフォーミングのためのＰＭＩ）」及び「Ｈ−ＰＭＩ（水平ビームフォーミングのためのＰＭＩ）」は、プリコーディング行列インデックス（ＰＭＩ）に含まれるものといえる。そして、引用発明の「チャネル状態情報−参照信号（ＣＳＩ−ＲＳ）」は、プリコーディング行列インデックス（ＰＭＩ）の選択のための参照信号（ＲＳ）であるから、ＣＳＩ−ＲＳは、Ｖ−ＰＭＩ（垂直ビームフォーミングのためのＰＭＩ）及びＨ−ＰＭＩ（水平ビームフォーミングのためのＰＭＩ）の選択のための参照信号（ＲＳ）であるといえ、「
Ｖ−ＰＭＩ（垂直ビームフォーミングのためのＰＭＩ）及びＨ−ＰＭＩ（水平ビームフォーミングのためのＰＭＩ）は参照信号（ＲＳ）に基づいて決定されている
　そして、引用発明のプリコーディング行列インジケータはプリコーディング行列を示しており、引用発明の「プリコーディング行列インジケータ」の示すプリコーディング行列は、本願発明の「プリコーディング構成」に含まれる。
　そうすると、上記のとおり、引用発明の「Ｖ−ＰＭＩ（垂直ビームフォーミングのためのＰＭＩ）」及び「Ｈ−ＰＭＩ（水平ビームフォーミングのためのＰＭＩ）」は、基準信号（ＲＳ）に基づいて決定されるものであり、「Ｖ−ＰＭＩ（垂直ビームフォーミングのためのＰＭＩ）」は、「エレベーションプリコーディング行列インジケータ（Ｅ−ＰＭＩ）」といえ、「Ｈ−ＰＭＩ（水平ビームフォーミングのためのＰＭＩ）」は、「アジマスプリコーディング行列インジケータ（Ａ−ＰＭＩ）」といえるものであって、上記のとおり、「エレベーションプリコーディング行列インジケータ（Ｅ−ＰＭＩ）」を決定することは、「基地局の第１のプリコーディング行列を示す第１のチャネル状態情報（ＣＳＩ）インジケータ」を決定すること、「アジマスプリコーディング行列インジケータ（Ａ−ＰＭＩ）」を決定することは、「基地局の第２のプリコーディング行列を示す第２のチャネル状態情報（ＣＳＩ）インジケータ」を決定することであるといえるから、引用発明の「Ｖ−ＰＭＩ（垂直ビームフォーミングのためのＰＭＩ）」を決定することは、本願発明の「基地局の第１のプリコーディング構成を示す第１のチャネル状態情報（ＣＳＩ）インジケータ」を決定すること、また、引用発明の「Ｈ−ＰＭＩ（水平ビームフォーミングのためのＰＭＩ）」を決定することは、本願発明の「基地局の第２のプリコーディング構成を示す第２のチャネル状態情報（ＣＳＩ）インジケータ」を決定することに、それぞれ含まれる。
　また、引用発明は、「端末はＰＭＩを含むＣＳＩを基地局にフォードバックする」、「端末（ＵＥ）が・・・垂直ドメインビーム方向を選択して基地局に報告する」、「端末は、ＰＵＣＣＨを用いたＣＳＩ報告の場合、垂直ビームフォーミングのためのＰＭＩ（Ｖ−ＰＭＩ）を報告する」、「端末は、Ｖ−ＰＭＩ及びＨ−ＰＭＩ（水平ビームフォーミングのためのＰＭＩ）を同じ時点で報告する」のであるから、引用発明の「端末は、基地局にＣＳＩ報告を送信する」ものといえ、本願発明の「前記基地局に、少なくとも前記第１のＣＳＩインジケータおよび前記第２のＣＳＩインジケータを含む第１のＣＳＩ報告を送信する」ことと、引用発明は「端末は、基地局にＣＳＩ報告を送信する」点で共通する。
　そして、以上をまとめると、本願発明の「前記ＲＳに基づいて、前記基地局の第１のプリコーディング構成を示す第１のチャネル状態情報（ＣＳＩ）インジケータを決定すること、前記第１のプリコーディング構成は、信号電力を改善することまたはエレベーション次元における干渉を低減することのうちの少なくとも１つを行うように最適化され、前記第１のＣＳＩインジケータは、少なくともエレベーションプリコーディング行列インジケータ（Ｅ−ＰＭＩ）を含む、と、前記ＲＳに基づいて、前記基地局の第２のプリコーディング構成を示す第２のＣＳＩインジケータを決定すること、前記第２のプリコーディング構成は、前記信号電力を改善することまたはアジマス次元における干渉を低減することのうちの少なくとも１つを行うように最適化され、前記第２のＣＳＩインジケータは、少なくともアジマスプリコーディング行列インジケータ（Ａ−ＰＭＩ）を含む、と、前記基地局に、少なくとも前記第１のＣＳＩインジケータおよび前記第２のＣＳＩインジケータを含む第１のＣＳＩ報告を送信することと」と、
　引用発明の「チャネル状態情報−参照信号（Ｃｈａｎｎｅｌ　Ｓｔａｔｅ　Ｉｎｆｏｒｍａｔｉｏｎ　ＲＳ；ＣＳＩ−ＲＳ）は、プリコーディング行列インデックス（Ｐｒｅｃｏｄｉｎｇ　Ｍａｔｒｉｘ　Ｉｎｄｅｘ；ＰＭＩ）の選択のためのチャネル測定目的のＲＳであり、端末はＰＭＩを含むＣＳＩを基地局にフィードバックすることと、端末（ＵＥ）が自身に最適の（又は、好む）垂直ドメインビーム方向を選択して基地局に報告することと、端末は、ＰＵＣＣＨを用いたＣＳＩ報告の場合、垂直ビームフォーミングのためのＰＭＩ（Ｖ−ＰＭＩ）を報告することと、端末は、Ｖ−ＰＭＩ及びＨ−ＰＭＩ（水平ビームフォーミングのためのＰＭＩ）を同じ時点で報告する、」は、
　「前記ＲＳに基づいて、前記基地局の第１のプリコーディング構成を示す第１のチャネル状態情報（ＣＳＩ）インジケータを決定すること、前記第１のＣＳＩインジケータは、少なくともエレベーションプリコーディング行列インジケータ（Ｅ−ＰＭＩ）を含む、と、前記ＲＳに基づいて、前記基地局の第２のプリコーディング構成を示す第２のＣＳＩインジケータを決定すること、前記第２のＣＳＩインジケータは、少なくともアジマスプリコーディング行列インジケータ（Ａ−ＰＭＩ）を含む、と、前記基地局に、ＣＳＩ報告を送信する」点において共通する。
　以上を総合すると、本願発明と引用発明とは、以下の点で一致し、また、相違している。
　（一致点）
「　ユーザ機器（ＵＥ）におけるワイヤレス通信の方法であって、
　基地局から基準信号（ＲＳ）を受信することと、
　前記ＲＳに基づいて、前記基地局の第１のプリコーディング構成を示す第１のチャネル状態情報（ＣＳＩ）インジケータを決定すること、前記第１のＣＳＩインジケータは、少なくともエレベーションプリコーディング行列インジケータ（Ｅ−ＰＭＩ）を含む、と、
　前記ＲＳに基づいて、前記基地局の第２のプリコーディング構成を示す第２のＣＳＩインジケータを決定すること、前記第２のＣＳＩインジケータは、少なくともアジマスプリコーディング行列インジケータ（Ａ−ＰＭＩ）を含む、と、
前記基地局に、ＣＳＩ報告を送信することと
　を備える、方法。」
（相違点１）
　「第１のプリコーディング構成」に関し、本願発明は、「信号電力を改善することまたはエレベーション次元における干渉を低減することのうちの少なくとも１つを行うように最適化され」るのに対し、引用発明では、プリコーディング行列を示すＶ−ＰＭＩを決定しているが、プリコーディング行列について当該事項が特定されていない点。
（相違点２）
　「第２のプリコーディング構成」に関し、本願発明は、「信号電力を改善することまたはアジマス次元における干渉を低減することのうちの少なくとも１つを行うように最適化され」るのに対し、引用発明では、プリコーディング行列を示すＨ−ＰＭＩを決定しているが、プリコーディング行列について当該事項が特定されていない点。
（相違点３）
　「ＣＳＩ報告」に関し、本願発明は、ＣＳＩ報告が「少なくとも前記第１のＣＳＩインジケータおよび前記第２のＣＳＩインジケータを含む」のに対し、引用発明では、当該事項が特定されていない点。
　以下、上記各相違点について検討する。
（相違点1、２について）
　引用発明の「Ｖ−ＰＭＩ」、「Ｈ−ＰＭＩ」は、上記「第５　（ウ）」で述べたとおり、プリコーディング行列インデックス（ＰＭＩ）に含まれるものである。そしてＰＭＩが、プリコーディング行列を決定するためのインデックスであり、ＰＭＩが示す第１のプリコーディング構成であるプリコーディング行列は、干渉を抑制するためのものであること、すなわち干渉の低減を図り送信の最適化をするためのものであることは、当該技術分野において技術常識であるから、引用発明においても、垂直ビームフォーミング及び水平ビームフォーミングのためのＰＭＩで示されたプリコーディング行列は、エレベーション次元及びアジマス次元における干渉の低減を図り最適化されたものであることは自明である。
　よって、相違点１、２は実質的な相違ではない。
（相違点３について）
　ＣＳＩ報告にＰＭＩが含まれることは、上記「第４　１（ウ）」の摘記にもあるように、当該技術分野において技術常識である。そして、引用発明は、「Ｖ−ＰＭＩ及びＨ−ＰＭＩ（水平ビームフォーミングのためのＰＭＩ）を同じ時点で報告する」ものであり、同じ時点で報告する情報を１つにまとめて報告することは一般的に行われている手法であるから，引用発明において、同じ時点で報告する「Ｖ−ＰＭＩ」と「Ｈ−ＰＭＩ」を、１つのＣＳＩ報告に含まれるようにすることは、当業者が容易になし得る事項である。
　よって、相違点３は、当業者が容易になし得る事項である。
　そして、本願発明の作用効果も、引用発明に基づいて当業者が予測できる範囲のものにすぎず、格別顕著なものとはいえない。
　したがって、本願発明は、引用発明に基づいて当業者が容易に発明をすることができたものであるから、特許法第２９条第２項の規定により、特許を受けることができない。
第６　むすび
　以上のとおり、本願発明は、引用発明に基づいて、その出願前にその発明の属する技術の分野における通常の知識を有する者が容易に発明をすることができたものであるから、特許法２９条第２項の規定により特許を受けることができない。
　したがって、他の請求項に係る発明について検討するまでもなく、本願は拒絶すべきものである。
　よって、結論のとおり審決する。